(57)【要約】      （修正有）【課題】本立ての傾きに変更が生じても本立ての一方側に陳列されていた書籍等が他方側へずれ落ちないシーソー式本立てを提供する。【解決手段】同軸上に配置された複数の連結孔が厚み方向に貫通して形成されたシーソー基板と、該シーソー基板の左右両端にそれぞれ直立して係止される側板１２Ｌ，１２Ｒと、シーソー基板１１および側板が係止される背面板１３と、シーソー板を支持する複数の支持部１６ａが連結孔と対応する箇所に形成された底板１４と、シーソー基板と底板の間に当該底板の左右両端のいずれか一方に固定された隙間板１５とを備え、支持部は、対応する連結孔にそれぞれ挿入され、シーソー基板を回転自在に支持する。【選択図】図７
0003166036.tif 000002
【実用新案登録請求の範囲】
【請求項１】
同軸上に配置された複数の連結孔が厚み方向に貫通して形成されたシーソー基板と、前記シーソー基板の左右両端にそれぞれ直立して係止される側板と、前記シーソー基板および前記側板が係止される背面板と、前記シーソー板を支持する複数の支持部が前記連結孔と対応する箇所に形成された底板と、前記シーソー基板と前記底板の間に当該底板の左右両端のいずれか一方に固定された隙間板とを備え、
前記支持部は、対応する前記連結孔にそれぞれ挿入され、前記シーソー基板を回転自在に支持することを特徴とするシーソー式本立て。
【請求項２】
請求項１記載のシーソー式本立てにおいて、
異なる極が対向する一対の磁石のうち、一方の磁石は前記隙間板上に固定され、他方の磁石は前記シーソー基板上に固定されると共に、同じ極が対向する一対の磁石のうち、一方の磁石は前記底板上において前記隙間板の反対側に固定され、他方の磁石は前記シーソー基板上に固定され、
前記支持部は、前記シーソー基板の中心から前記隙間板側に配置されていることを特徴とするシーソー式本立て。
【考案の詳細な説明】
【技術分野】
【０００１】
本考案は、シーソー式本立てに関し、より具体的には、書籍、雑誌等のすべりや型崩れが起きにくいシーソー式本立てに関するものである。
【背景技術】
【０００２】
腰の弱いソフトカバーの書籍や雑誌は、本立てに立てかけても自立することが難しく、湾曲してずれ落ちてしまい、整理整頓された状態で収納することができなかった。このような腰の弱い書籍や雑誌を、型崩れしない状態で整理するための本立てが、これまでに提案されてきた。例えば、平坦部を持つ細長の底板と、底板の平坦部から直立する仕切部とを備え、仕切部と反対側の仕切部に凸状の凸部を１つまたは２つ以上備える、本立ての提案がなされている（特許文献１）。このような仕切部に書籍等の表紙を押し当てることにより、ソフトカバーの書籍等であっても、型崩れを抑制して収納することができる。
【先行技術文献】
【特許文献】
【０００３】
【特許文献１】特開２００８−６１８８２号公報
【考案の概要】
【考案が解決しようとする課題】
【０００４】
しかしながら、板部の平坦部に直立する複数の仕切部が設けられ、例えば、本立ての左側に書籍等がその表紙を仕切部に押し当てるように陳列されてある状態において、具体的には、書籍等の左側表紙が仕切部を押し当てることによって本立ての板部底左端部が床に接するように本立てが傾いた状態において、比較的重い書籍等を本立ての右側に陳列しようとすると、その重さによって本立ての板部底右端部が床に接するように本立てが傾き、その結果、本立ての傾きに変更が生じることによって本立ての左側に陳列されていた書籍等が右側へずれ落ちてしまうなどの問題があった。
【課題を解決するための手段】
【０００５】
本考案のシーソー式本立ては、同軸上に配置された複数の連結孔が厚み方向に貫通して形成されたシーソー基板と、シーソー基板の左右両端にそれぞれ直立して係止される側板と、シーソー基板および側板が係止される背面板と、シーソー板を支持する複数の支持部が連結孔と対応する箇所に形成された底板と、シーソー基板と底板の間に当該底板の左右両端のいずれか一方に固定された隙間板とを備え、支持部は、対応する連結孔にそれぞれ挿入され、シーソー基板を回転自在に支持することを特徴とする。
【０００６】
上記の構成によれば、隙間板がシーソー基板と底板の間に存するため、書籍等の陳列によってシーソー基板が一方に傾いた状態において、追加して書籍等を陳列してもシーソー基板が他方へ傾くことがなく、シーソー基板を底板と並行状態に保つことができる。これにより、書籍等がずれ落ちてしまうこと等を防止することができる。
【０００７】
また、本考案のシーソー式本立ては、異なる極が対向する一対の磁石のうち、一方の磁石は隙間板上に固定され、他方の磁石はシーソー基板上に固定されると共に、同じ極が対向する一対の磁石のうち、一方の磁石は底板上において隙間板の反対側に固定され、他方の磁石はシーソー基板上に固定され、支持部は、シーソー基板の中心から隙間板側に配置されていることを特徴とする。
【０００８】
上記の構成によれば、磁石によってバランスされ、且つ支持部がシーソー基板の中心から隙間板側に配置されているため、書籍等が一冊も陳列されていない場合には、シーソー基板を底板と並行状態に保つことができる。シーソー式本立てに書籍等が陳列されている場合には、シーソー式本立てが傾いた状態となる。更に、シーソー式本立て全体に書籍等が陳列されている場合には、シーソー基板を底板と並行状態に保つことができる。
【考案の効果】
【０００９】
本考案のシーソー式本立ては、機能美に優れ、本立ての傾きに変更が生じてもブックエンドを用いることなく、書籍、雑誌等のすべりや型崩れが起きないようにすることができる。
【図面の簡単な説明】
【００１０】
【図１】本考案の実施の形態におけるシーソー式本立てを示す斜視図である。
【図２】シーソー基板、側板及び背面板を示す斜視図である。
【図３】図２のシーソー基板、側板及び背面板を示す上面図である。
【図４】支持部を有する底板及び隙間板を示す斜視図である。
【図５】図４の支持部を有する底板及び隙間板を示す上面図である。
【図６】図１のシーソー式本立てを示す正面図である。
【図７】本実施の形態のシーソー式本立てに書籍を立てかけた状態を示す正面図である。
【考案を実施するための形態】
【００１１】
図１は、本考案の実施の形態におけるシーソー式本立て１を示す斜視図である。まず、それぞれに構成において、図１のＨ方向を上下方向とし、構成の上方を上面、構成の下方を底面、Ｗ方向を左右方向とし、構成の左側を左側面、構成の右側を右側面、Ｄ方向を奥行き方向とし、構成の手前側を表面、構成の奥側を裏面とする。後述する図２〜図７についても同様とするが、図の表現方法によっては方向が異なる場合がある。
【００１２】
板状のシーソー基板１１は、図１に示すように、その左右方向の両端にそれぞれ直立するように側板１２Ｌ、１２Ｒが固定されている。ここで、本考案の実施の形態において、固定とは、金属製の丸釘を打ち込むことによって接合しているが、これに限らず、接着剤等を用いて固定しても良い。
【００１３】
シーソー基板１１の奥行き（Ｄ）と側板１２Ｌ、１２Ｒの奥行き（Ｄ）は、それぞれ同一の長さを有する。また、シーソー基板１１の底面と側板１２Ｌ、１２Ｒの底面は、同一平面上に位置する。背面板１３は、シーソー基板１１上に側板１２Ｌ、１２Ｒのそれぞれに挟まれるように、且つ、シーソー基板１１の背面と背面板１３の背面とが同一平面上に位置するように固定される。シーソー基板１１の幅（Ｗ）と背面板の幅（Ｗ）は、それぞれ同一の長さを有する。本実施の形態におけるシーソー基板１１、側板１２Ｌ、１２Ｒ及び背面板１３は、軽量な桐材（平均比重０．２５）を用いるが、これに限られず、同様な軽量木材または樹脂材などを用いてもよい。
【００１４】
図２に示すように、シーソー基板１１は、その厚み方向（Ｈ）に貫通するように複数の連結孔１１ａ、１１ｂ（本実施の形態では、２つ）を有する。連結孔１１ａ、１１ｂは、シーソー基板１１の上面から見て長方形状に形成され、左右方向（Ｗ）の中心が同一線上に位置するように奥行き方向（Ｄ）に並んで配置されている。
【００１５】
図２及び図３に示すように、シーソー基板１１の表面、裏面並びに連結孔１１ａ及び連結孔１１ｂには、後述する回転軸心棒１７を挿入するための挿入孔１１ｃ、１１ｄ及び１１ｅが円形状に形成されている。破線で示すように、挿入孔１１ｃ、１１ｄは、表面または裏面からそれぞれ連結孔１１ａ、１１ｂが位置するところまで貫通するように形成されている。また、挿入孔１１ｅは、連結孔１１ａと連結孔１１ｂを貫通するように形成されている。
【００１６】
図３に示すように、シーソー基板１１の底面には、永久磁石２１、２３がそれぞれ配置されている。具体的には、図６に示すように、永久磁石２１、２３がシーソー基板１１の底面に埋没するように配置されている。永久磁石２１、２３は、強力な永久磁石を用いることが好ましい。例えば、ネオジム磁石、サマコバ磁石やネオジボンド磁石などの強力永久磁石を用いる。
【００１７】
図１に戻り、シーソー式本立て１は、シーソー基板１１の底面側にシーソー基板１１と同一の大きさを有する底板１４を有する。シーソー基板１１と底板１４の間に挟まれるように隙間板１５が、左右方向（Ｗ）の両端のうち一方（本実施の形態では、書面上において右側）に位置する。隙間板１５は、底板１４の上面に固定されている。本実施の形態における底板１４及び隙間板１５は、桐材よりも重い木材（例えば、朴材（平均比重０．５２））を用いるが、これに限られず、同様な木材または樹脂材などを用いてもよい。
【００１８】
図４に示すように、底板１４は、複数の支持部１６ａ、１６ｂ（本実施の形態では、２つ）を有する。支持部１６ａ、１６ｂは、底板１４の上面から見て長方形状に、且つ、それらの上部が左右方向（Ｗ）に丸みを帯びる形状に形成され、左右方向（Ｗ）の中心が同一線上に位置するように奥行き方向（Ｄ）に並んで配置されている。
【００１９】
図４及び図５に示すように、支持部１６ａ、１６ｂの表面及び裏面には、後述する回転軸心棒１７を挿入するための挿入孔１６ｃ、１６ｄが円形状に形成されている。破線で示すように、挿入孔１６ｃ、１６ｄは、支持部１６ａ、１６ｂの表面から裏面まで貫通するように形成されている。
【００２０】
図４及び図５に示すように、底板１４の上面には、永久磁石２２が配置されている。隙間板１５の底面には、永久磁石２４が配置されている。具体的には、図６に示すように、永久磁石２２が底板１４の上面に埋没するように配置されていると共に、永久磁石２４が隙間板１５の底面に埋没するように配置されている。つまり、永久磁石２４が隙間板１５の底面に埋没する工程を行なってから、永久磁石２４が隙間板１５の上面に露出しないように隙間板１５を底板１４の上面に固定する。永久磁石２２、２４は、永久磁石２１、２３と同様に、強力な永久磁石を用いることが好ましい。例えば、ネオジム磁石、サマコバ磁石やネオジボンド磁石などの強力永久磁石を用いる。
【００２１】
図６は、図１のシーソー式本立て１を示す正面図である。図６に示すように、挿入孔１１ｃ、１６ｃ、１１ｅ、１６ｄ、１１ｄの順に一体の回転軸心棒１７を挿入することによって、シーソー基板１１が支持部１６ａ、１６ｂに対して回転自在に支持する。本実施の形態では、回転軸心棒１７は、木製の棒を用いるが、これに限らず、十分な強度を保つものであれば、竹製、鉄製、または樹脂製などの棒を用いてシーソー基板１１を支持しても良い。
【００２２】
支持部１６ａ、１６ｂは、シーソー式本立て１の左右方向（Ｗ）において、その中心からオフセットした底板１４上の位置に固定されている。つまり、本実施の形態では、左右方向（Ｗ）において支持部１６ａ、１６ｂから側板１２Ｌまでの長さは、支持部１６ａ、１６ｂから側板１２Ｒまでの長さよりも長くなり、側板１２Ｌ側が側板１２Ｒ側よりも重くなる。そのため、書籍等を陳列しない状態においても、回転軸心棒１７を中心にシーソー基板１１が傾いてしまい、美観が損なわれてしまう。
【００２３】
そこで、図６に示すように、側板１２Ｌ側において永久磁石２１のＮ極を上に、永久磁石２２のＮ極を下にして配置する。つまり、永久磁石２１のＳ極と永久磁石２２のＳ極が対向するように配置させて互いに反発するようにする。更に、側板１２Ｒ側において永久磁石２３のＮ極と永久磁石２４のＮ極を共に上にして配置する。つまり、永久磁石２１のＳ極と永久磁石２２のＮ極が対向するように配置させて互いに引き合うようにする。これにより、書籍等を陳列しない状態において、シーソー基板１１と底板１４とが互いに並行となる。ここで、隙間板１５の厚さ（Ｈ）は、シーソー基板１１と底板１４とが互いに並行となるように、設計されているため、回転軸心棒１７を中心にシーソー基板１１が側板１２Ｒ側に傾いてしまうことはない。
【００２４】
図７は、本実施の形態のシーソー式本立て１に複数の書籍３０を立てかけた状態を示す正面図である。図７に示すように、書籍３０が陳列されると側板１２Ｌ側が更に側板１２Ｒ側よりも重くなることによって、永久磁石２１と永久磁石２２とが反発する力と永久磁石２３と永久磁石２４とが互いに引き合う力では不十分となり、回転軸心棒１７を中心にシーソー基板１１が底板１４に対して約３〜５度傾く。これにより、ブックエンドを用いらなくても書籍や雑誌類をすべりや形崩れなく立てかけられることができる。
【００２５】
図示は省略するが、本実施の形態のシーソー式本立て１は、書籍３０を側板１２Ｒ側までいっぱいに陳列すると、側板１２Ｌ側と側板１２Ｒ側との重量バランスが陳列していない状態に近づくことになり、永久磁石２１と永久磁石２２とが反発する力と永久磁石２３と永久磁石２４とが互いに引き合う力によって、再びシーソー基板１１と底板１４とが互いに並行となる。
【産業上の利用可能性】
【００２６】
本考案のシーソー式本立ては、機能美に優れ、室内等に置いて遊び感覚を呼び起こし、かつブックエンドを用いらなくても書籍や雑誌類をすべりや形崩れなく立てかけられることができるため、児童から大人まで書籍及び書籍の整理への関心を惹起することが期待される。
【符号の説明】
【００２７】
１  シーソー式本立て、１１  シーソー基板、１１ａ，１１ｂ  連結孔、１１ｃ，１１ｄ，１１ｅ  挿入孔、１２Ｌ，１２Ｒ  側板、１３  背面板、１４  底板、１５  隙間板、１６ａ，１６ｂ  支持部、１６ｃ，１６ｄ  挿入孔、１７  回転軸心棒、２１，２２，２３，２４  永久磁石、３０  書籍
【図１】
0003166036.tif 000003
【図２】
0003166036.tif 000004
【図３】
0003166036.tif 000005
【図４】
0003166036.tif 000006
【図５】
0003166036.tif 000007
【図６】
0003166036.tif 000008
【図７】
0003166036.tif 000009